(57)【要約】      （修正有） 【課題】温風暖房機の温風吹き出し箇所に導入口を位置させ、温風排出口を炬燵内に位置させ、温風を炬燵に引き入れることで炬燵暖房を実現している炬燵用温風引き込みダクトにおいて、室内設置後の人やペットの接触で倒れたり位置ずれが生ずることを防止する床置きダクトを提供する。【解決手段】炬燵への温風供給可能な径及び長さで、且つ可撓性を備えたダクト体１の先部（温風導入口１１の近傍）に、導入口連結体４を、その先端がダクト体の前方に突出させて設けると共に、前記先端部に磁石を付設した磁気吸着部４２を設けてなる。【選択図】図２
0003169403.tif 000002
【実用新案登録請求の範囲】
【請求項１】
使用目的に対応する径及び長さを備え、且つ可撓性を有するダクト体において、ダクト体の先部に連結して、先端部をダクト体前方に突出させると共に、前記先端部に磁気吸着部を設けてなる導入口連結体を備えてなることを特徴とする床置きダクト。
【請求項２】
ダクト体先部の導入口を適宜高さに維持する支持脚を付設すると共に、導入口連結体の基部を二股形状に形成して上下回動可能にダクト体に装着し、先部の磁気吸着部を上下方向に回動自在に設けてなる請求項１記載の床置きダクト。
【請求項３】
ダクト体先部に、ダクト体外周に装着するリング体を装着すると共に、前記リング体に導入口連結体の基部を連結してなる請求項２記載の床置きダクト。
【請求項４】
リング体に支持脚を装着してなる請求項３記載の床置きダクト。
【請求項５】
導入口連結体における基部側を、ダクト体の導入口において上下回動可能に幅広に形成すると共に、先部側を細幅に形成してなる請求項２乃至４記載のいずれかの床置きダクト。
【考案の詳細な説明】
【技術分野】
【０００１】
本考案は、炬燵用温風引き込みダクトのような床置きダクトに関するものである。
【背景技術】
【０００２】
床置きダクトの使用例としての炬燵用温風引き込みダクトは、周知のとおり温風暖房機の温風吹き出し箇所に一方の開口（導入口）を位置させ、他方開口（温風排出口）を炬燵内に位置させ、温風暖房機からの温風を炬燵に引き入れることで、温風暖房機による炬燵暖房を実現しているものである。前記ダクトは温風暖房機の吹き出し箇所と炬燵の位置関係（高さ及び方向）に柔軟に対応できるように変形可能な蛇腹状の筒部材（ダクト体）が採用されている。
【０００３】
また前記のダクトは、温風暖房機の吹き出し箇所の高さに対応するために、特許文献１、２に示されているような、ダクト体の導入口を持ち上げる簡易な支持脚を付設している。
【先行技術文献】
【特許文献】
【０００４】
【特許文献１】登録実用新案第３１４０２８４号公報。
【特許文献２】意匠登録第１１１３６１４号公報。
【考案の概要】
【考案が解決しようとする課題】
【０００５】
前記の床置きダクト（炬燵用温風引き込みダクト）は、室内において温風暖房機と炬燵との間に横たわるように配置されるので、人の室内移動の際に接触して、支持脚が倒れたり、横にずれてしまうことが生じ、ダクト体の導入口が温風吹き出し箇所と正対しなくなる。そしてその都度ダクト体の位置を直す必要が生じてしまう。
【０００６】
そこで本考案は、ダクト体の導入口が温風吹き出し箇所のような温風等の供給箇所に対して常に正対するようにした新規な床置きダクトを提案したものである。
【課題を解決するための手段】
【０００７】
本考案（請求項１）に係る床置きダクトは、使用目的に対応する径及び長さを備え、且つ可撓性を有するダクト体において、ダクト体の先部に連結して、先端部をダクト体前方に突出させると共に、前記先端部に磁気吸着部を設けた導入口連結体を備えてなることを特徴とするものである。
【０００８】
而してダクト体の導入口を、温風等の供給箇所（例えば温風暖房機の吹き出し口）に臨む位置で、磁気吸着部を当該箇所（例えば温風暖房機の本体のような表面が薄鉄板で形成されているのが一般的である箇所）に吸着させて、ダクト体の導入口を当該位置に保持する。従って多少の外力を受けても当該位置を保持することになる。
【０００９】
また本考案（請求項２）に係るダクトは、前記ダクトにおいて、ダクト体先部の導入口を適宜高さに維持する支持脚を付設すると共に、導入口連結体の基部を二股形状に形成して上下回動可能にダクト体に装着し、先部の磁気吸着部を上下方向に回動自在に設けてなるものである。
【００１０】
従って導入口の高さ（方向も含む）を支持脚で設定し、更に導入口連結体で温風等の供給箇所（温風暖房機）と連結することで、ダクト体の位置保持（外力に対する抵抗）を行うと共に、特に導入口連結体の本体（ダクト体に装着している部分）を上下回動可能とし、同時に先部の磁気吸着部も上下方向に回動自在に設けているので、温風等の供給箇所（温風暖房機）の表面任意位置（ベース板も含む）に吸着させることができる。
【００１１】
また本考案（請求項３）に係るダクトは、前記ダクトにおいて、ダクト体先部に、ダクト体外周に装着するリング体を装着すると共に、前記リング体に導入口連結体の基部を連結してなるもので、導入口連結体を直接ダクト体に装着した場合に当該装着箇所を、相応に強度を高める必要があるが、ダクト体を抱持するリング体を採用することで、ダクト体自体に特別に補強を行うことなく、導入口連結体をしっかりと装着できる。
【００１２】
また本考案（請求項４）に係るダクトは、前記リング体に支持脚を装着してなるもので、支持体の装着箇所と導入口連結体の装着部材（リング体）を兼用することで、全体の構造の簡素化を実現できる。
【００１３】
また本考案（請求項５）に係るダクトは、前記ダクトにおいて導入口連結体における基部側を、ダクト体の導入口において上下回動可能に幅広に形成すると共に、先部側を細幅に形成してなるもので、導入口連結体を温風等供給箇所（温風暖房機）と連結した際に、連結部位をコンパクトにでき、人体・ペット等との接触機会を少なくできる。
【考案の効果】
【００１４】
本考案の構成は前記のとおりで、導入口連結体を使用することで、室内の床に設置されているダクト体に人やペットが接触するなどの多少の外力を受けても、ダクト体の導入口を温風等供給箇所に臨む位置で保持するものである。
【図面の簡単な説明】
【００１５】
【図１】本考案の実施形態の使用状態の説明図。
【図２】同要部（ダクト先部）の斜視図。
【図３】同要部（磁気吸着部）の斜視図。
【考案を実施するための形態】
【００１６】
次に本考案の実施形態について説明する。実施形態に示した床置きダクトは、室内設置温風暖房機から炬燵に温風を供給する使用例で、ダクト体１と、リング体２と、支持脚３及び導入口連結体４とで構成される。
【００１７】
ダクト体１は、薄金属板を蛇腹状に形成した可撓保形性を備えた筒状のもので、その径及び長さは使用状況（温風暖房機Ａから炬燵Ｂまでの距離、所望する供給温風量）に対応して任意に定められるもので、一方の開口を導入口１１とし、他方開口を温風排出口１２としたものである。
【００１８】
リング体２は、ダクト体１の導入口１１の近傍適宜箇所の外周に外嵌合して装着するもので、樹脂製で、側面部分に支持脚３と導入口連結体４の基部を差し込み装着するための穴部を設けてなるものである。
【００１９】
支持脚３は、金属線材で形成したもので、上方開口コの字型で、縦杆部３１の基部を内包に折曲して、折曲部を前記穴部に装着して回動自在とし、横杆部３２を適宜湾曲させて足部としたものである。
【００２０】
導入口連結体４は、前記支持脚１と同様にその連結本体４１を金属線材で形成したもので、本体基部側４１ａは、二股形状に形成すると共に、基端を内包に折曲して、その折曲部を前記リング体２の穴部に装着して上下方向に回動自在に設けると共に、ダクト体１の導入口１１の外側を迂回回動できるよう幅広に形成する。更に本体先部側４１ｂは、できるだけ細幅に形成し、その先端に磁石吸着部４２を設けたものである。
【００２１】
磁石吸着部４２は、連結本体４１の先端に上下方向に回動自在に連結した台部４２１の外面に磁石４２２を設けたものである。
【００２２】
而して前記器具は、従前と同様に温風暖房機Ａの温風吹き出し箇所ａに正対させて導入口１１を位置させ、温風排出口１２を炬燵Ｂ内とし、温風暖房機Ａからの温風を炬燵Ｂに引き入れることで、温風暖房機による炬燵暖房を実現するもので、特に温風暖房機Ａの表面に、磁気吸着部４２を吸着させることで、導入口１１が当該位置（温風導入最適位置）に保持するものである。
【００２３】
即ち導入口１１の位置は、支持脚３と、ダクト体１の撓み変形（変形後はその形状を保つ）で対応し、当該位置が温風暖房機との距離が多少導入口連結体４と一致しなくとも、導入口連結体４は、連結本体４１の上下回動と磁気吸着部４２の上下回動（首振り）で、当該位置を変化させることなく温風暖房機Ａの表面（ベース部分も含む）磁気吸着させることができるものである。
【００２４】
従って室内の床に設置されているダクト体に人やペットが接触するなどの多少の外力を受けても、ダクト体が倒れたり、導入口の位置がずれたりすることが防止されるものである。
【符号の説明】
【００２５】
１        ダクト体
１１      導入口
１２      温風排出口
２        リング体
３        支持脚
３１      縦杆部
３２      横杆部（足部）
４        導入口連結体
４１      連結本体
４２      磁気吸着部
４２１    台部
４２２    磁石
Ａ        温風暖房機
Ｂ        炬燵
【図１】
0003169403.tif 000003
【図２】
0003169403.tif 000004
【図３】
0003169403.tif 000005